(57)【要約】【課題】砕土性が良好であり、しかも低動力で適切な耕耘作業ができる耕耘爪を提供する。【解決手段】耕耘爪12は、第１中心点Ｏ1を中心とする第１曲率半径Ｒ1で曲げた第１円弧板部31を備える。この第１円弧板部31の先端側の端部には、第１中心点Ｏ1とは異なる第２中心点Ｏ2を中心とする第２曲率半径Ｒ2で曲げた第２円弧板部32を連設する。この第２円弧板部32の第２曲率半径Ｒ2は、第１円弧板部31の第１曲率半径Ｒ1よりも長くなっている。【選択図】図１
2014097006.tif 000002
【特許請求の範囲】
【請求項１】
農作業機の回転軸に取り付けられる耕耘爪であって、
第１曲率半径で曲げられた第１円弧板部と、
前記第１曲率半径とは異なる第２曲率半径で曲げられた第２円弧板部と
を備えることを特徴とする耕耘爪。
【請求項２】
農作業機の回転軸に取り付けられる耕耘爪であって、
第１中心点を中心とする第１曲率半径で曲げられた第１円弧板部と、
この第１円弧板部の先端側の端部に連設され、前記第１中心点とは異なる第２中心点を中心とする第２曲率半径で曲げられた第２円弧板部とを備え、
前記第２円弧板部の第２曲率半径が、前記第１円弧板部の第１曲率半径よりも長い
ことを特徴とする耕耘爪。
【請求項３】
農作業機の回転軸に取り付けられる耕耘爪であって、
第１中心点を中心とする第１曲率半径で曲げられた第１円弧板部と、
この第１円弧板部の基端側の端部に連設され、前記第１中心点とは異なる第２中心点を中心とする第２曲率半径で曲げられた第２円弧板部とを備え、
前記第２円弧板部の第２曲率半径が、前記第１円弧板部の第１曲率半径よりも長い
ことを特徴とする耕耘爪。
【請求項４】
第２円弧板部の第２曲率半径が、第１円弧板部の第１曲率半径の略２倍である
ことを特徴とする請求項２または３記載の耕耘爪。
【請求項５】
基端側に位置する基端側平板部と、
先端側に位置する先端側平板部と
を備えることを特徴とする請求項１ないし４のいずれか一記載の耕耘爪。
【発明の詳細な説明】
【技術分野】
【０００１】
本発明は、農作業機の回転軸に取り付けられる耕耘爪に関するものである。
【背景技術】
【０００２】
従来、この種の耕耘爪としては、例えば特許文献１に記載された耕耘爪が知られている。
【０００３】
この従来の耕耘爪は、取付基部と、縦刃部と、横刃部とを備え、縦刃部から横刃部にかけて一側方にほぼ一定の曲率で湾曲させるとともに、横刃部の先端部分を縦刃部からの湾曲方向とは反対側にわずかに反り返らせてわずかのサクション角をもたせたものである。
【先行技術文献】
【特許文献】
【０００４】
【特許文献１】特開昭６２−８７００２号公報（第２図）
【発明の概要】
【発明が解決しようとする課題】
【０００５】
しかしながら、上記従来のように単一の曲率半径で曲げられた耕耘爪の場合、例えば砕土性を向上させるためには、曲率半径を短くすることが有効であるが、曲率半径が短いと切削抵抗が大きく、所定動力が増大するという問題がある。
【０００６】
本発明は、このような点に鑑みなされたもので、砕土性が良好であり、しかも低動力で適切な耕耘作業ができる耕耘爪を提供することを目的とする。
【課題を解決するための手段】
【０００７】
請求項１記載の耕耘爪は、農作業機の回転軸に取り付けられる耕耘爪であって、第１曲率半径で曲げられた第１円弧板部と、前記第１曲率半径とは異なる第２曲率半径で曲げられた第２円弧板部とを備えるものである。
【０００８】
請求項２記載の耕耘爪は、農作業機の回転軸に取り付けられる耕耘爪であって、第１中心点を中心とする第１曲率半径で曲げられた第１円弧板部と、この第１円弧板部の先端側の端部に連設され、前記第１中心点とは異なる第２中心点を中心とする第２曲率半径で曲げられた第２円弧板部とを備え、前記第２円弧板部の第２曲率半径が、前記第１円弧板部の第１曲率半径よりも長いものである。
【０００９】
請求項３記載の耕耘爪は、農作業機の回転軸に取り付けられる耕耘爪であって、第１中心点を中心とする第１曲率半径で曲げられた第１円弧板部と、この第１円弧板部の基端側の端部に連設され、前記第１中心点とは異なる第２中心点を中心とする第２曲率半径で曲げられた第２円弧板部とを備え、前記第２円弧板部の第２曲率半径が、前記第１円弧板部の第１曲率半径よりも長いものである。
【００１０】
請求項４記載の耕耘爪は、請求項２または３記載の耕耘爪において、第２円弧板部の第２曲率半径が、第１円弧板部の第１曲率半径の略２倍であるものである。
【００１１】
請求項５記載の耕耘爪は、請求項１ないし４のいずれか一記載の耕耘爪において、基端側に位置する基端側平板部と、先端側に位置する先端側平板部とを備えるものである。
【発明の効果】
【００１２】
本発明によれば、少なくとも第１円弧板部および第２円弧板部を備えるため、砕土性が良好であり、しかも、比較的低い低動力で適切な耕耘作業ができる。
【図面の簡単な説明】
【００１３】
【図１】本発明の一実施の形態に係る耕耘爪の正面図である。
【図２】同上耕耘爪の平面図である。
【図３】同上耕耘爪の斜視図である。
【図４】同上耕耘爪を備えた農作業機の側面図である。
【図５】本発明の他の実施の形態に係る耕耘爪の正面図である。
【発明を実施するための形態】
【００１４】
本発明の一実施の形態について図面を参照して説明する。
【００１５】
図４において、１は農作業機で、この農作業機１は、例えば走行車であるトラクタ（図示せず）の後部に連結され、トラクタの走行により水田や畑等の圃場を進行方向である前方に移動しながら耕耘整地作業をする耕耘作業機（ロータリ）である。
【００１６】
農作業機１は、図示しないトラクタの後部の３点リンク部（作業機昇降支持装置）に脱着可能に連結された機体２を備えている。
【００１７】
機体２は、左右方向長手状のフレーム部３を有し、このフレーム部３の長手方向中央部のミッションケース４には入力軸５が回転可能に設けられている。入力軸５は、図示しないトラクタのＰＴＯ軸にジョイントを介して接続されており、トラクタのＰＴＯ軸の駆動回転によりトラクタ側からの動力が入力軸５から農作業機１側に入力される。
【００１８】
また、フレーム部３の長手方向一端部である左端部には伝動ケース部であるチェーンケース部６が設けられ、フレーム部３の長手方向他端部である右端部には板状のブラケット部（図示せず）が設けられている。そして、これら互いに離間対向する左右のチェーンケース部６およびブラケット部には、所定方向（例えばダウンカット方向）に回転しながら耕耘作業をする耕耘体10が回転可能に架設されている。つまり、ロータリ式の耕耘体10が機体２に左右方向の回転中心軸線Ｘを中心として回転可能に設けられている。
【００１９】
耕耘体10は、機体２のチェーンケース部６内のチェーン（図示せず）からの動力に基づいて回転中心軸線Ｘを中心として所定方向に回転する左右方向の回転軸（耕耘軸）11と、この回転軸11に取り付けられこの回転軸11と一体となって回転しながら耕耘作業をする複数の耕耘爪12とを有している。
【００２０】
回転軸11は、軸方向両端部がチェーンケース部６およびブラケット部にて回転可能に支持された左右方向の回転軸部13と、この回転軸部13における軸方向に間隔をおいた複数箇所に突設された爪取付板部14とにて構成されている。そして、回転軸11の各爪取付板部14には、取付手段であるボルト15およびナット16によって、湾曲板状の耕耘爪12が脱着可能に取り付けられている。
【００２１】
なお、耕耘爪12には右用と左用があり、右用の耕耘爪12と左用の耕耘爪12とは、回転軸11に取り付けられた状態で左右対称になる点が異なるのみで、基本的構成は同一である。そして、例えば右用の耕耘爪12は回転軸11の軸方向一方側に位置した爪取付板部14に取り付けられ、左用の耕耘爪12は回転軸11の軸方向他方側に位置した爪取付板部14に取り付けられている。
【００２２】
また、耕耘体10の上方部は、機体２の耕耘体カバー部18にて覆われており、この耕耘体カバー部18は上方に凸の湾曲板状に形成されている。さらに、耕耘体10の左右の側方には側方カバー板部19が配設され、左側の側方カバー板部19がチェーンケース部６の後端部に取り付けられ、図示しない右側の側方カバー板部がブラケット部に取り付けられている。そして、機体２の耕耘体カバー部18の後端部には、耕耘体10の後方で整地作業をする板状の整地体（均平板）20が上下方向に回動可能に設けられている。
【００２３】
さらに、機体２と整地体20との間には、整地体20の接地圧を調整するための接地圧調整手段21が設けられている。接地圧調整手段21は、例えば連結ロッド22、回動部材23、第１コイルバネ24、第２コイルバネ25およびストッパ26等にて構成されている。
【００２４】
ここで、農作業機１の耕耘体10の耕耘爪12について詳細に説明する。
【００２５】
図１ないし図４に示されるように、耕耘爪12は、耕耘体10の回転中心軸線Ｘに対する径方向に長手方向を有するやや長手状の１枚の金属製の板部材にて構成されている。つまり、耕耘爪12は、所定形状をなすように一方側に曲げられた１枚の金属製の板部材のみからなるもので、長手方向一端側である基端側（耕耘体10の回転中心側）から長手方向他端側である先端側（耕耘体10の外周側）に向かって順に連続して位置する、基端側平板部30、第１円弧板部31、第２円弧板部32および先端側平板部33にて構成されている。
【００２６】
また、耕耘爪12の短手方向一端側である回転方向側の端部には、厚さ寸法が回転方向に向かって徐々に減少した断面三角形状の刃部35が形成されている。つまり、圃場の土を切削する刃部35が、基端側平板部30の回転方向側の端部の一部、第１円弧板部31の回転方向側の端部の全部、第２円弧板部32の回転方向側の端部の全部および先端側平板部33の回転方向側の端部の全部にわたって位置するように長手状に形成されている。なお、刃部35の薄肉状の先端部分が刃先部35aとなっている。
【００２７】
基端側平板部30は、ボルト15およびナット16によって、回転軸11の爪取付板部14にこの爪取付板部14と面接触して重なるように取り付けられる平板状の取付板部である。この取付板部である基端側平板部30には、円形状の複数、例えば２つのボルト用孔36が形成されている。同形状のボルト用孔37が爪取付板部14にも形成されており、この爪取付板部14のボルト用孔37と基端側平板部30のボルト用孔36とにボルト15が挿通され、この挿通されたボルト15にナット16が螺合される。そして、ナット16がボルト15に螺合されて締め付けられることで、基端側平板部30が回転軸11の爪取付板部14に取り付けられる。
【００２８】
第１円弧板部31は、基端側平板部30の先端側の端部に滑らかに一体に連設されている。第１円弧板部31は、第１中心点Ｏ1を中心とする第１曲率半径Ｒ1で曲げられた円弧板状をなすものである。基端側平板部30と第１円弧板部31との境界線である第１境界線Ｌ1と、第１円弧板部31と第２円弧板部32との境界線である第２境界線Ｌ2とは、互いに平行に位置している。
【００２９】
そして、第１中心点Ｏ1と第１境界線Ｌ1とを結んだ直線ａと第１中心点Ｏ1と第２境界線Ｌ2を結んだ直線ｂとがなす角度θ1は、例えば５０度〜６５度、好ましくは５７度である。
【００３０】
また、第１円弧板部31の第１曲率半径Ｒ1は、例えば７０ｍｍである。なお、第１中心点Ｏ1は、正面視で、第１境界線Ｌ1の真上に位置している。また、第１円弧板部31は、平面視で、矩形板状をなすものである。
【００３１】
第２円弧板部32は、第１円弧板部31の先端側の端部に滑らかに一体に連設されている。第２円弧板部32は、第１中心点Ｏ1とは異なる第２中心点Ｏ2を中心とする第２曲率半径Ｒ2（＞Ｒ1）で第１円弧板部31と同じ側に曲げられた円弧板状をなすものである。第１円弧板部31と第２円弧板部32との境界線である第２境界線Ｌ2と、第２円弧板部32と先端側平板部33との境界線である第３境界線Ｌ3とは、互いに平行に位置している。
【００３２】
そして、第２中心点Ｏ2と第２境界線Ｌ2とを結んだ直線ｃ（この直線ｃの一部が直線ｂと重なっている）と第２中心点Ｏ2と第３境界線Ｌ3を結んだ直線ｄとがなす角度θ2は、例えば１５度〜２５度、好ましくは１８度である。つまり、第１円弧板部31の角度θ1は、第２円弧板部32の角度θ2よりも大きく、角度θ2の略３倍である。なお、直線ｃは第１中心点Ｏ1を通る線であり、この直線ｃ上に第１中心点Ｏ1が位置している。
【００３３】
また、第２円弧板部32の第２曲率半径Ｒ2は、第１曲率半径Ｒ1よりも長く、第１曲率半径Ｒ1の略２倍であり、例えば１５０ｍｍである。なお、第２中心点Ｏ2は、正面視で、第１中心点Ｏ1と同じ側に位置し、基端側平板部30の略中央部の上方に位置している。また、第２円弧板部32は、平面視で、矩形板状をなすものである。
【００３４】
先端側平板部33は、第２円弧板部32の先端側の端部に滑らかに一体に連設されている。先端側平板部33は、第２円弧板部32と略同じ大きさの平板状をなすものである。先端側平板部33は、図２から明らかなように、先端ほど回転方向後方に位置するように反回転方向側に向かってやや湾曲している。先端側平板部33の先端側の端部が自由端部40となっており、この自由端部40が耕耘爪12の先端部である。
【００３５】
次に、農作業機１を使用して作業をする場合について説明する。
【００３６】
農作業機１をトラクタの後部の３点リンク部に連結し、トラクタの走行により農作業機１を進行方向前方に移動させると、耕耘体10の各耕耘爪12が所定の回転方向に回転しながら圃場の土を切削して耕耘する。また、この耕耘体10の後方では、整地体20が耕耘体10による耕耘土を整地して圃場面を平らにする。
【００３７】
そして、この農作業機１の耕耘爪12によれば、第１曲率半径Ｒ1で曲げられた第１円弧板部31と、第１曲率半径Ｒ1よりも長い第２曲率半径Ｒ2で曲げられた第２円弧板部32とを備えるため、第１円弧板部31による砕土性が良好であり、しかも、第２円弧板部32では切削抵抗が比較的小さいことから、全体として低動力で適切な耕耘作業ができる。
【００３８】
また、耕耘爪12は、基端側に位置する基端側平板部30と、先端側に位置する先端側平板部33と、これら両平板部30，33間に位置する第１円弧板部31および第２円弧板部32とからなるものであるから、製造が比較的容易であり、製造性も良好である。
【００３９】
なお、耕耘爪12は、上述した図１等に示すものには限定されず、例えば図５に示すように、第１円弧板部31の位置と第２円弧板部32の位置とを逆にして、第２円弧板部32が第１円弧板部31の基端側の端部に連設された構成でもよい。
【００４０】
この図５に示された耕耘爪12は、所定形状をなすように一方側に曲げられた１枚の金属製の板部材のみからなるもので、長手方向一端側である基端側から長手方向他端側である先端側に向かって順に連続して位置する、基端側平板部30、第２円弧板部32、第１円弧板部31および先端側平板部33にて構成されている。また、耕耘爪12の短手方向一端側である回転方向側の端部には、厚さ寸法が回転方向に向かって徐々に減少した断面三角形状の刃部35が形成され、この刃部35の薄肉状の先端部分が刃先部35aとなっている。
【００４１】
ここで図５に示されるように、第２円弧板部32は、耕耘爪12の基端側に位置する基端側平板部30の先端側の端部に滑らかに一体に連設されている。第２円弧板部32は、第２中心点Ｏ2を中心とする第２曲率半径Ｒ2で曲げられた円弧板状をなすものである。基端側平板部30と第２円弧板部32との境界線である第１境界線Ｌ1と、第２円弧板部32と第１円弧板部31との境界線である第２境界線Ｌ2とは、互いに平行に位置している。
【００４２】
そして、第２中心点Ｏ2と第１境界線Ｌ1とを結んだ直線ａと第２中心点Ｏ2と第２境界線Ｌ2を結んだ直線ｂとがなす角度θ2は、例えば１５度〜２５度、好ましくは１８度である。また、第２円弧板部32の第２曲率半径Ｒ2は、例えば１５０ｍｍである。なお、第２中心点Ｏ2は、正面視で、第１境界線Ｌ1の真上に位置している。
【００４３】
また、第１円弧板部31は、第２円弧板部32の先端側の端部に滑らかに一体に連設されている。第１円弧板部31は、第２中心点Ｏ2とは異なる第１中心点Ｏ1を中心とする第１曲率半径Ｒ1（＜Ｒ2）で第２円弧板部32と同じ側に曲げられた円弧板状をなすものである。第１円弧板部31と第２円弧板部32との境界線である第２境界線Ｌ2と、第１円弧板部31と先端側平板部33との境界線である第３境界線Ｌ3とは、互いに平行に位置している。
【００４４】
そして、第１中心点Ｏ1と第２境界線Ｌ2とを結んだ直線ｃ（この直線ｃが直線ｂの一部と重なっている）と第１中心点Ｏ1と第３境界線Ｌ3を結んだ直線ｄとがなす角度θ1は、例えば５０度〜６５度、好ましくは５７度である。つまり、この第１円弧板部31の角度θ1は、第２円弧板部32の角度θ2よりも大きく、角度θ2の略３倍である。なお、直線ｃの延長線上には第２中心点Ｏ2が位置している。
【００４５】
また、第１円弧板部31の第１曲率半径Ｒ1は、例えば７０ｍｍである。つまり、第２曲率半径Ｒ2（例えば１５０ｍｍ）は、第１曲率半径Ｒ1よりも長く、第１曲率半径Ｒ1の略２倍である。なお、第１中心点Ｏ1は、正面視で、第２中心点Ｏ2と同じ側に位置し、第２円弧板部32の上方に位置している。また、先端側平板部33は、第１円弧板部31の先端側の端部に滑らかに一体に連設され、この先端側平板部33の先端側の端部が自由端部40となっている。
【００４６】
そして、この図５に示された耕耘爪12であっても、上述した図１等に示すものと同様の作用効果を奏することができる。
【００４７】
なお、耕耘爪12は、上記いずれの実施の形態においても、２つの円弧板部31，32を備えたものについて説明したが、耕耘爪12は、少なくとも第１円弧板部31および第２円弧板部32を備えるものであればよく、それぞれ異なる曲率半径を有する３つ以上の円弧板部を備えたもの等でもよい。
【００４８】
また、耕耘爪12は、例えば先端側平板部33を備えずに、先端側に位置する円弧板部を備え、この円弧板部の先端側の端部が自由端部となっているもの等でもよい。
【００４９】
さらに、第２円弧板部32の第２曲率半径Ｒ2が第１円弧板部31の第１曲率半径Ｒ1の略２倍であることが好ましいが、その倍率は任意であり、例えば１．５倍や、３倍等でもよい。
【００５０】
また、耕耘爪12は、耕耘作業を伴う農作業を行う各種の農作業機に用いることが可能である。
【符号の説明】
【００５１】
１    農作業機
11    回転軸
12    耕耘爪
30    基端側平板部
31    第１円弧板部
32    第２円弧板部
33    先端側平板部
Ｏ1   第１中心点
Ｏ2   第２中心点
Ｒ1   第１曲率半径
Ｒ2   第２曲率半径
【図１】
2014097006.tif 000003
【図２】
2014097006.tif 000004
【図３】
2014097006.tif 000005
【図４】
2014097006.tif 000006
【図５】
2014097006.tif 000007